(57)【特許請求の範囲】
【請求項１】
隣接して配設される一対の納骨部を含む墓ユニットであって、
前記納骨部の各々は、墓用又は緑地用の双方に使用可能であり、
墓用として使用される側の納骨部の上方に配置される墓碑部と、
緑地用として使用される側の納骨部の上方に配置される植栽部とを更に備え、
墓用として使用される側の納骨部の内部に、遺骨が収容されるものであり、
前記墓碑部と前記植栽部との配置を入れ替えることで、墓用及び緑地用の納骨部を変更することを特徴とする墓ユニット。
【請求項２】
請求項１に記載の前記墓ユニットを複数含み、
前記各墓ユニットが、左右又は前後にマトリクス状に配列される墓地構造。
【請求項３】
前記マトリクス状に配置される各墓ユニットにおいて、
同行に配列される墓ユニットの墓用及び緑地用の納骨部の位置関係は、その行に属する他の墓ユニットの墓用及び緑地用の納骨部の位置関係と同じとなるよう配列され、
同列に配列される墓ユニットの墓用及び緑地用の納骨部の位置関係は、列方向に隣接する他の墓ユニットの墓用及び緑地用の納骨部の位置関係と逆になるよう配列される請求項２に記載の墓地構造。
【請求項４】
更に、供物を配置する供物配置部を複数備え、
前記各供物配置部が、各列の最前にある墓ユニットの納骨部のそれぞれと対向するよう配置される請求項２又は３に記載の墓地構造。
【発明の詳細な説明】
【技術分野】
【０００１】
本発明は、墓ユニット及びこの墓ユニットを含む墓地構造に関する。
【背景技術】
【０００２】
少子高齢化社会を迎え、内閣府の平成２５年版高齢社会白書によると、高齢者人口は今後、「団塊の世代」が６５歳以上となる平成２７（２０１５）年には３，３９５万人となり、「団塊の世代」が７５歳以上となる平成３７（２０２５）年には３，６５７万人に達すると見込まれている。その後も高齢者人口は増加を続け、平成５４（２０４２）年に３，８７８万人でピークを迎え、その後は減少に転じると推計されている。そして、高齢者人口の増大により死亡数は増加し、死亡率（人口１，０００人当たりの死亡数）は上昇を続け、平成７２（２０６０）年には、１７．７％になると推計されている。
【０００３】
また、都市部への人口集中と、江戸時代から続いてきた寺院の檀家制度が急速に崩壊しつつあること等の事情が重なり、都市部における宗旨、宗派を問わない墓地・霊園（以下、「墓地等」という。）に対する需要が高まっている。
【０００４】
しかしながら、都市部では、墓地等として利用できる土地面積が限られており、周辺環境との調和（周辺住居に居対する景観上の配慮、環境保全）等の観点から、墓地の経営許可権者である地方公共団体が条例等により、墓地の経営許可基準として、墓地の許可面積に対し一定面積の緑地を確保すること、墓地区画数に応じて一定台数の駐車場を設置すること等を義務づけていることから、墓地需要があるにもかかわらず、都市部で提供できる墓地区画数は抑えられてしまう傾向にある。
【０００５】
そのような状況に鑑み、従来の墓地に比べて、敷地内に立設される墓の密度を増やす、または墓の構造等に工夫を凝らして省スペース化を図るなどの手段によって、墓地敷地内に多くの墓地区画を設ける等の工夫がなされている。
【０００６】
また、前記のとおり周辺環境との調和（周辺住居に居対する景観上の配慮、環境保全）等を目的として、一定の緑地面積を確保する必要があるところ、墓地区画の周囲などに植栽をする区画を設ける等の工夫がなされている。
【０００７】
この墓地区画と共に緑地区画を並設した墓地に関するものとして、下記特許文献１が開示されている。特許文献１に記載の技術は、墓の間口側から奥側にかけて幅が狭まる墓所を有する墓地の構造であり、隣接する墓所同士は、間口が逆になるよう配置されて墓地の省スペース化が図られると共に、各々の墓所には、間口側の建墓ゾーンと、その奥に緑化ゾーンが設けられ、墓地の省スペース化並びに墓地全体の美観と環境の向上が図られる。
【先行技術文献】
【特許文献】
【０００８】
【特許文献１】実用新案登録第３１１１８５３号公報
【発明の概要】
【発明が解決しようとする課題】
【０００９】
ここで、従来では、墓地区画を使用する者は、経営主体である寺院から墓地区画の販売委託を受けた石材店等を通じて、当該区画の永代使用権を購入し、これを永続的に使用する場合がほとんどであった。しかし、近年の社会構造の変化から核家族化が進み、墓参をする者が限られること、使用料金を低く抑えたいという需要者の要望があること等の事情から、墓地区画の使用者が、墓地の経営主体より、当該区画に係る期限付き使用権の許諾を受け、期限経過後、墓内に納められる遺骨（骨壺）を合祀墓に移して、以後、墓地管理者が、その遺骨を永続的に管理するという形態が増えている（以下、この形態を「永代供養型」と呼ぶ）。
【００１０】
この永代供養型の墓地の場合、個々の墓地区画において、使用者が変わるたびに収められる遺骨が変わる。そのため、新しい使用者又はこれから使用を検討する者にとって、直近まで旧使用者に係わる遺骨が収められていたという点に関し、心理的抵抗がある場合がある。特許文献１に係る墓地は、墓地区画と緑地区画とが固定化される構造であるため、そのような心理的抵抗を和らげることが難しい。
【００１１】
上記課題に鑑み、本発明は、墓の省スペース化を図り、且つ十分な緑地スペースが確保されていると共に、特に、墓地区画の使用者が入れ替わる永代供養型の墓地において、当該墓地の使用者（又は今後使用を検討する者）に対する心理的抵抗を軽減させることが可能な墓ユニットを提供することを目的とする。また、この墓ユニットを含む墓地構造を提供する。
【課題を解決するための手段】
【００１２】
前記課題を解決するための本発明に係る墓ユニットは、
隣接して配設される一対の納骨部を含み、
前記納骨部の各々は、墓用又は緑地用の双方に使用可能であり、
墓用として使用される側の納骨部の上方に配置される墓碑部と、
緑地用として使用される側の納骨部の上方に配置される植栽部とを更に備え、
墓用として使用される側の納骨部の内部に、遺骨が収容されるものであり、
前記墓碑部と前記植栽部との配置を入れ替えることで、墓用及び緑地用の納骨部を変更することを特徴とする。
【００１３】
また、本発明に係る墓地構造は、
前記墓ユニットを複数含み、
前記墓ユニットが、左右又は前後に配列されることを特徴とする。
【発明の効果】
【００１４】
本発明によれば、コンパクトな一対の納骨部により墓の省スペース化が図られると共に、一方の納骨部を墓用として、他方の納骨部を緑地用として使用するため、十分な緑地スペースを確保することが可能な墓ユニットを提供することができる。
【００１５】
また、所定年月経過後、当該墓地区画の使用者が変わる場合、墓用及び緑地用として用いていた納骨部の各々の役割を入れ替えることで、これまで墓用として使用された納骨部の当該用途での使用が中断される。本発明によれば、上記の構造を採用するため、次に、この納骨部が墓用として使用されるまで所定の年月が経過し、永代供養型の墓地を使用する際に生じる使用者の心理的抵抗を軽減させることが可能である。更に、本発明によれば、この墓ユニットを含む墓地構造を提供することができる。
【図面の簡単な説明】
【００１６】
【図１】本発明に係る墓ユニットの斜視図。
【図２】本発明に係る墓地構造の平面図。
【図３】本発明に係る墓地構造を備えた墓地の全体図
【発明を実施するための形態】
【００１７】
以下、図面を参照して本発明の望ましい実施形態を詳細に説明する。但し、本発明は多くの異なる態様で実施することが可能であり、以下に示す実施の形態の記載内容に限定して解釈されるものではない。
【００１８】
（墓ユニット）
まず、図１を参照して、本発明に係る墓ユニットの実施形態について詳細に説明する。図１（ａ）は、本実施形態に係る墓ユニット１０の斜視図、図１（ｂ）は、前記墓ユニット１０に含まれる一対の納骨部１１１及び１１２の斜視図（すなわち、後述する墓碑部１２０及び植物が植栽される植栽部１３０が配置されていない状態の墓ユニット１０の斜視図）である。図１に示すように、本実施形態に係る墓ユニット１０は、一対の納骨部１１１及び１１２、墓碑部１２０、植栽部１３０等を備える。
【００１９】
納骨部１１１，１１２は、内部に遺骨（骨壺）を納める納骨スペース用の空洞を備える構造である。納骨部１１１と１１２とは、コンクリート壁などのような所定の仕切手段１１３によって仕切られている。
【００２０】
図１（ｂ）に示すように、本実施形態では、納骨部１１１，１１２の双方ともに、ほぼ同形状、同体積としているが、これに限られるものではない。また、納骨部１１１，１１２の内部に納められる骨壺の数は、１つであってもよいし、それ以上であってもよい。更に、納骨部１１１，１１２内のそれぞれに収めることが可能な骨壺の数は、ともに同数であってもよいし、異なる数であってもよい。
【００２１】
納骨部１１１，１１２が組み合わさって、墓ユニット１０として使用される場合、納骨部１１１，１１２の一方のみに骨壺が収められる（図１（ａ）では、納骨部１１１側）。すなわち、この納骨部は、墓用として用いられる。これに対して、他方の納骨部（図１（ａ）では、納骨部１１２側）には、骨壺は収められない。この納骨部（１１２）側のスペースは、後述のように、墓地の緑地化スペースとして用いられる。
【００２２】
墓碑部１２０は、戒名等の情報を表示するためのものである。戒名等の情報の表示場所は特に限定されないが、本実施形態では、墓碑部１２０の表面側に表示される。また、図１（ａ）に示すように、墓碑部１２０は、納骨部１１１，１１２の一方側の上方に配置される（図１（ａ）では、納骨部１１１側）。
【００２３】
墓碑部１２０の配置方法は、特に限定されるものではないが、本実施形態では、墓碑部１２０の底面が、納骨部（本実施形態では、納骨部１１１）の上縁に支持され、これにより、墓碑部１２０が、納骨部（１１１）の上方に配置される。
【００２４】
植栽部１３０には、主に常緑性の低木が植栽され、墓ユニット１０が配設される墓地全体の緑地として使用される。同時に、墓ユニット１０の装飾用として使用され得ることはもちろんである。また、図１（ａ）に示すように、植栽部１３０は、納骨部１１１，１１２の他方側の上方に配置される（図１（ａ）では、納骨部１１２側）。このように、植栽部１３０が配置されることで、墓ユニット１０が配設される墓地の緑地化を図ることができ、ひいては周囲の環境保全に寄与する墓ユニットを提供することができる。
【００２５】
植栽部１３０の配置方法は、特に限定されるものではないが、本実施形態では、植栽部１３０が配置される側の納骨部（本実施形態では、納骨部１１２）の内部に土を収め、その土に低木等の植物を植栽する。植栽される低木は１ｍ以下の小低木で、１年を通じて葉をつけている常緑低木が望ましい。ただし、この配置方法に限定されるものではなく、例えば、プランター等を納骨部上方に係止させ、このプランター内に植物を植えるなどの方法も考えられる。
【００２６】
上述のような構造の墓ユニット１０において、所定年月が経過すると、それまで墓用として用いられていた納骨部と、緑地用として用いられていた納骨部との役割を変更する。本実施形態を例に説明すると、墓碑部１２０及び植栽部１３０の配置位置を、これまでとは逆にすることで、墓用として用いられる納骨部と、緑地用として用いられる納骨部とを変更する。すなわち、本実施形態では、墓碑部１２０及び植栽部１３０の配置変更の後は、納骨部１１１が緑地として、納骨部１１２が墓用として用いられる。
【００２７】
このように、所定年月の経過により、墓用の納骨部と、緑地用の納骨部とを変更する構造を採用することで、墓の使用者が入れ替わる構造の永代供養型の墓地であっても、それまで墓として使用していた納骨部が年月をおいて使用されるため、この納骨部を用いる新使用者の心理的抵抗を軽減することができる。併せて、墓用の納骨部と、緑地用の納骨部とを変更しても、緑地スペースが削られるなどの不具合を生じさせず、環境保全の面についても十分配慮された墓ユニットを提供することができる。
【００２８】
（墓地構造）
次に、図２を参照して、本発明に係る墓地構造の実施形態について詳細に説明する。図２は、本実施形態に係る墓地構造１０００を上方から見た平面図である。図２に示すように、墓地構造１０００は、複数の前記墓ユニット１０が、前後左右にマトリクス状に配列される構造を備える。
【００２９】
ここで、所定の墓ユニット１０に対して、図の左右方向に配列される墓ユニット１０を「同行の墓ユニット」と表記し、図の上下方向（前後方向）に配列される墓ユニット１０を「同列の墓ユニット」と表記する場合がある。図２の場合、墓ユニット１０ａの図右側に配列される墓ユニット１０ｂは、墓ユニット１０ａに対して、同行に配列される墓ユニットである。これに対して、墓ユニット１０ａの図上側に配列される墓ユニット１０ｃは、墓ユニット１０ａに対して、同列に配列される墓ユニットである。
【００３０】
本実施形態では、同行に配列される各墓ユニット１０は、その墓用及び緑地用の納骨部の位置関係が同じとなるよう配列される。その一方で、同列に配列される各墓ユニット１０は、その墓用及び緑地用の納骨部の位置関係が、列方向に隣接する（図２では、直上及び直下）他の墓ユニット１０と逆になるよう配列される。すなわち、図２の場合、同行の墓ユニット１０ａと１０ｂとは、双方ともに、墓碑部１２０が配置される納骨部が図の右側に、植栽部１３０が配置される納骨部が図の左側に配列される。これに対して、同列の墓ユニット１０ａと１０ｃとは、墓ユニット１０ａにおいては、墓碑部１２０が配置される納骨部が図の右側に、植栽部１３０が配置される納骨部が図の左側に配列されるのに対して、その直上にある墓ユニット１０ｃにおいては、墓碑部１２０が配置される納骨部が図の左側に、植栽部１３０が配置される納骨部が図の右側に配列される。
【００３１】
このような配列方法を用いることで、後方の墓ユニット１０の墓碑部１２０が、前方の墓ユニット１０に隠れて確認できないという不具合を回避することができる。また、墓地の使用者・参拝者に対して、墓地の外観が、整列されてまとまりがあり、洗練されているという印象を与えることが可能となる。ただし、墓地ユニット１０の配列方法は、これに限られるものではない。
【００３２】
本実施形態に係る墓地構造１０００は、墓への供物を配置する供物配置部２００を更に備えることが好ましい。本実施形態では、図２に示すように、複数の供物配置部２００が、墓地構造１０００の最前部（図の最下方）に配置される。また、各供物配置部２００は、それぞれ各列の最前にある墓ユニット１０の納骨部（墓用及び緑地用の納骨部の双方とも）と対向するよう配置される。
【００３３】
このとき、供物配置部２００に供えられる供物は、最前行の墓ユニット１０のみならず、同列の後方に配置される他の墓ユニット１０の供物配置部としても機能する。このような配置方法をとることにより、墓地構造の各行の間に供物配置部２００を配置する場合に比べて、供物配置部２００を大幅に減らすことができ、墓地全体の省スペース化を図ることが可能となる。
【００３４】
なお、最前行の墓ユニット１０と、供物配置部２００との間に配置される墓３００は、墓ユニット１０よりも多くの骨壺を収容可能な固定墓である。ただし、固定墓３００を設けるか否かは、任意である。
【００３５】
次に、図３は、本発明に係る墓地構造を備えた墓地の全体図である。点線で囲った部分は、図２で示した墓地構造と同一構造となっている。本発明に係る墓地構造１０００は、図３の略中央部分に配置されたモニュメントを備える合祀墓４００を含むようにしても良い。墓ユニット１０の一方の納骨部に収められる骨壺内の遺骨は、所定年月経過後に、この合祀墓４００に移される。以後、墓地管理者によって永続的に管理される。
【符号の説明】
【００３６】
１０              墓ユニット
１１１，１１２    納骨部
１２０            墓碑部
１３０            植栽部
２００            供物配置部
３００            固定墓
４００            合祀墓
１０００          墓地構造
【図１】
0005878569.tif 000002
【図２】
0005878569.tif 000003
【図３】
0005878569.tif 000004